(57)【要約】【課題】感光体への帯電器による放電生成物の付着を防止しうるトナー層を、未使用の現像剤を無駄に消費することなく形成し、像流れ等の画像不良の発生を抑制すること。【解決手段】像担持体と、帯電手段と、露光手段と、現像手段と、転写手段と、クリーニング手段と、前記クリーニング手段により除去されたトナーにより前記像担持体上にトナー層を形成するトナー吐出手段と、前記トナー吐出手段により前記像担持体上に前記トナー層を形成し、前記像担持体を回転させて前記トナー層の位置を前記帯電手段に対向する位置に移動させた後に停止するように制御するトナー層形成モードを行う制御手段と、を有することを特徴とする画像形成装置。【選択図】図３
2012194299.tif 000002
【特許請求の範囲】
【請求項１】
像担持体と、
非接触でコロナ放電により前記像担持体を帯電する帯電手段と、
帯電された前記像担持体に静電潜像を形成する露光手段と、
静電潜像が形成された前記像担持体にトナーを供給してトナー像とする現像手段と、
前記像担持体に形成されるトナー像を被転写体に転写する転写手段と、
転写後の前記像担持体に残留するトナーを除去するクリーニング手段と、
前記クリーニング手段により除去されたトナーにより前記像担持体上にトナー層を形成するトナー吐出手段と、
前記トナー吐出手段により前記像担持体上に前記トナー層を形成し、前記像担持体を回転させて前記トナー層の位置を前記帯電手段に対向する位置に移動させた後に停止するように制御するトナー層形成モードを行う制御手段と、
を有することを特徴とする画像形成装置。
【請求項２】
任意の画像形成ジョブの終了時点から次の画像形成ジョブの開始時点までの放置時間を計測する放置時間測定手段、を有し、
前記制御手段は、前記放置時間と予め設定された前記帯電手段により生成された放電生成物の前記像担持体への付着による出力画像の画像品質への影響が出ない最大の限界値である限界放置時間とを比較し、前記放置時間が前記限界放置時間に達したときに、前記トナー層形成モードを行うことを特徴とする請求項１に記載の画像形成装置。
【請求項３】
前記限界放置時間は、画像形成装置内の湿度又は前記像担持体の累計回転数に応じて変更するように設定されていることを特徴とする請求項２に記載の画像形成装置。
【請求項４】
前記トナー層形成モードへの切り替え操作を行う操作手段、を有し、
前記制御手段は、前記操作手段の操作により前記トナー層形成モードへの切り替えを行うように制御することを特徴とする請求項１に記載の画像形成装置。
【請求項５】
画像形成装置の電源のオンオフを切り替える電源操作手段、を有し、
前記制御手段は、前記電源操作手段の操作により前記トナー層形成モードへの切り替えを行うように制御することを特徴とする請求項１に記載の画像形成装置。
【請求項６】
前記クリーニング手段は、回転自在に保持される弾性部材からなるローラ状の回転部材、を有し、
前記回転部材は、記録材に画像を形成する画像形成モードにおいては、前記クリーニング手段として前記像担持体上に残留するトナーを除去した後に除去したトナーの一部を保有し、前記トナー層形成モードにおいては、前記トナー吐出手段として保有するトナーを前記像担持体に向けて吐き出して前記トナー層を形成することを特徴とする請求項１から５のいずれか１項に記載の画像形成装置。
【請求項７】
前記トナー吐出手段は、前記トナー層形成モードにおいては、前記回転部材と前記像担持体との間にトナーを吐出するための電位差を生じさせることを特徴とする請求項６に記載の画像形成装置。
【請求項８】
前記制御手段は、前記トナー層形成モードにおいて、前記帯電手段又は前記転写手段を動作させて前記像担持体を帯電させ、前記像担持体と前記回転部材との間に電位差を生じさせるように制御することを特徴とする請求項７に記載の画像形成装置。
【請求項９】
前記制御手段は、前記トナー層形成モードが終了した後に前記画像形成モードへ切り替えが行われる際に、前記像担持体を回転させて前記トナー層を前記帯電手段に対向する位置から前記クリーニング手段の前記像担持体の前記画像形成モードにおける回転方向の上流側の位置に移動させ、その後に、前記像担持体を前記像担持体の前記画像形成モードにおける回転方向に回転させ、前記クリーニング手段により前記トナー層形成モードにおいて形成された前記トナー層を前記像担持体から除去させるように制御することを特徴とする請求項６から８のいずれか１項に記載の画像形成装置。
【請求項１０】
前記制御手段は、前記トナー層形成モードが終了した後に前記画像形成モードへ切り替えが行われる際には、前記像担持体を前記画像形成モードにおける回転方向とは逆の方向に回転させるように制御することを特徴とする請求項９に記載の画像形成装置。
【請求項１１】
前記クリーニング手段はクリーニングブレードを有し、
前記クリーニングブレードは、前記回転部材の前記像担持体の前記画像形成モードにおける回転方向の下流側に配設されることを特徴とする請求項７から１０のいずれか１項に記載の画像形成装置。
【請求項１２】
前記クリーニングブレードを前記像担持体に対して接離させるクリーニングブレード接離手段を有し、
前記制御手段は、前記トナー層形成モードにおいて前記クリーニングブレード接離手段を動作させ、前記クリーニングブレードを前記像担持体から離間させるように制御することを特徴とする請求項１１に記載の画像形成装置。
【発明の詳細な説明】
【技術分野】
【０００１】
本発明は、複写機、ファクシミリ、プリンタ等の画像形成装置に関し、特に帯電器から発生する放電生成物の感光体への付着を防止する画像形成装置に関する。
【背景技術】
【０００２】
電子写真方式の画像形成装置においては、感光体表面を帯電器により一様に帯電する際に、帯電器の放電によりオゾンや窒素酸化物といった放電生成物と呼ばれるものが発生する。この様なオゾンや窒素酸化物等の放電生成物は感光体表面に付着し、大気中に存在する水分子と結合して感光体表面の電気抵抗を低下させ、濃度低下や像流れ等の画像不良の発生の原因となる。
【０００３】
一方、クリーニング性が良く、耐摩耗性の高い長寿命の感光体ドラムとして、アモルファスシリコン系等の無機質の材料や、有機質の材料に紫外線等の光を照射して光硬化させる材料を用いた、高硬度表層感光体が好ましく用いられている。然るに、この高硬度表層感光体は、表面をクリーニングブレードにより削ることが困難であるため、帯電器により表面に付着した放電生成物をクリーニング工程で除去することが難しく、像流れ等の画像不良が発生し易いという問題があった。特に、空気中の水分濃度が高くなる高温高湿環境下での画像形成においては大きな問題であった。この像流れは、濃度低下に繋がるとともに、ドットで形成される画像においては画像濃度が高くなる場合もあり、所望する画質の画像形成を安定的に行うという観点からも問題である。
【０００４】
図１５は、記録材Ｐに画像占有率７０％の網点画像を形成した出力画像に像流れが発生した例を示す図である。
【０００５】
図１５において、符号のＲｚは像流れが発生する領域を表し、符号のＬｐは、像流れが発生するピッチ、即ち円筒状の高硬度表層感光体（アモルファスシリコン感光体）の円周の長さを表す。像流れが発生する領域Ｒｚでの画像濃度が高くなる理由は、像流れにより１つ１つの網点がつぶれされて尾を引き、画像占有率を高めるためである。即ち、像流れの発生により、本来あるべき画像占有率が正しく表現されないという例である。
【０００６】
また、濃度低下は、感光体表面の電気抵抗の低下により、感光体表面に印加されるべき電位の一部が流されてしまうことにより生じる。
【０００７】
このような高硬度表層感光体に対する帯電器による放電生成物の付着を防止する技術として、非画像形成時に現像装置から感光体ドラム上に現像剤を吐き出し、感光体ドラム上の帯電器に対向する位置に現像剤層（トナー層）を形成するという技術が開示されている（例えば、特許文献１参照）。
【先行技術文献】
【特許文献】
【０００８】
【特許文献１】特開２００７−２０６１１８号公報
【発明の概要】
【発明が解決しようとする課題】
【０００９】
然るに、特許文献１に記載の技術では、トナー層を形成するために、非画像形成時に現像装置から現像剤（未使用のトナー）を吐き出すため、画像形成時に使用可能な現像剤を消費してしまうという問題がある。特許文献１における現像剤の消費は、高湿時には感光体ドラムの回転の停止毎に行われるものであり、消費量が更に大きなものとなる。
【００１０】
本発明の目的は、上記のような問題を解決し、未使用の現像剤を無駄に消費することなく、帯電器による放電生成物付着を防止しうるトナー層を感光体上に形成し、像流れ等の画像不良の発生を抑制しうる画像形成装置を提供することにある。
【課題を解決するための手段】
【００１１】
前記目的は下記の発明により達成される。
【００１２】
１．像担持体と、
非接触でコロナ放電により前記像担持体を帯電する帯電手段と、
帯電された前記像担持体に静電潜像を形成する露光手段と、
静電潜像が形成された前記像担持体にトナーを供給してトナー像とする現像手段と、
前記像担持体に形成されるトナー像を被転写体に転写する転写手段と、
転写後の前記像担持体に残留するトナーを除去するクリーニング手段と、
前記クリーニング手段により除去されたトナーにより前記像担持体上にトナー層を形成するトナー吐出手段と、
前記トナー吐出手段により前記像担持体上に前記トナー層を形成し、前記像担持体を回転させて前記トナー層の位置を前記帯電手段に対向する位置に移動させた後に停止するように制御するトナー層形成モードを行う制御手段と、
を有することを特徴とする画像形成装置。
【００１３】
２．任意の画像形成ジョブの終了時点から次の画像形成ジョブの開始時点までの放置時間を計測する放置時間測定手段、を有し、
前記制御手段は、前記放置時間と予め設定された前記帯電手段により生成された放電生成物の前記像担持体への付着による出力画像の画像品質への影響が出ない最大の限界値である限界放置時間とを比較し、前記放置時間が前記限界放置時間に達したときに、前記トナー層形成モードを行うことを特徴とする前記１に記載の画像形成装置。
【００１４】
３．前記限界放置時間は、画像形成装置内の湿度又は前記像担持体の累計回転数に応じて変更するように設定されていることを特徴とする前記２に記載の画像形成装置。
【００１５】
４．前記トナー層形成モードへの切り替え操作を行う操作手段、を有し、
前記制御手段は、前記操作手段の操作により前記トナー層形成モードへの切り替えを行うように制御することを特徴とする前記１に記載の画像形成装置。
【００１６】
５．画像形成装置の電源のオンオフを切り替える電源操作手段、を有し、
前記制御手段は、前記電源操作手段の操作により前記トナー層形成モードへの切り替えを行うように制御することを特徴とする前記１に記載の画像形成装置。
【００１７】
６．前記クリーニング手段は、回転自在に保持される弾性部材からなるローラ状の回転部材、を有し、
前記回転部材は、記録材に画像を形成する画像形成モードにおいては、前記クリーニング手段として前記像担持体上に残留するトナーを除去した後に除去したトナーの一部を保有し、前記トナー層形成モードにおいては、前記トナー吐出手段として保有するトナーを前記像担持体に向けて吐き出して前記トナー層を形成することを特徴とする前記１から５のいずれか１項に記載の画像形成装置。
【００１８】
７．前記トナー吐出手段は、前記トナー層形成モードにおいては、前記回転部材と前記像担持体との間にトナーを吐出するための電位差を生じさせることを特徴とする前記６に記載の画像形成装置。
【００１９】
８．前記制御手段は、前記トナー層形成モードにおいて、前記帯電手段又は前記転写手段を動作させて前記像担持体を帯電させ、前記像担持体と前記回転部材との間に電位差を生じさせるように制御することを特徴とする前記７に記載の画像形成装置。
【００２０】
９．前記制御手段は、前記トナー層形成モードが終了した後に前記画像形成モードへ切り替えが行われる際に、前記像担持体を回転させて前記トナー層を前記帯電手段に対向する位置から前記クリーニング手段の前記像担持体の前記画像形成モードにおける回転方向の上流側の位置に移動させ、その後に、前記像担持体を前記像担持体の前記画像形成モードにおける回転方向に回転させ、前記クリーニング手段により前記トナー層形成モードにおいて形成された前記トナー層を前記像担持体から除去させるように制御することを特徴とする前記６から８のいずれか１項に記載の画像形成装置。
【００２１】
１０．前記制御手段は、前記トナー層形成モードが終了した後に前記画像形成モードへ切り替えが行われる際には、前記像担持体を前記画像形成モードにおける回転方向とは逆の方向に回転させるように制御することを特徴とする前記９に記載の画像形成装置。
【００２２】
１１．前記クリーニング手段はクリーニングブレードを有し、
前記クリーニングブレードは、前記回転部材の前記像担持体の前記画像形成モードにおける回転方向の下流側に配設されることを特徴とする前記７から１０のいずれか１項に記載の画像形成装置。
【００２３】
１２．前記クリーニングブレードを前記像担持体に対して接離させるクリーニングブレード接離手段を有し、
前記制御手段は、前記トナー層形成モードにおいて前記クリーニングブレード接離手段を動作させ、前記クリーニングブレードを前記像担持体から離間させるように制御することを特徴とする前記１１に記載の画像形成装置。
【発明の効果】
【００２４】
本発明によれば、感光体の帯電器による放電生成物の付着を防止でき、高硬度表層感光体を用いても像流れ等の画像不良が発生することがなく、かつ、感光体のクリーニング時に回収されたトナーを用いるため、未使用のトナーを無駄に消費することがない。
【図面の簡単な説明】
【００２５】
【図１】本発明の実施の形態に係る画像形成装置の構成及び動作を説明するための概略断面図である。
【図２】本発明に係るクリーニング装置の実施形態における構成を示す概略断面図である。
【図３】本発明に係るトナー層形成モードにおけるトナー層Ｔｂの形成から除去までの感光体ドラム１周辺の動作を説明するための概略断面図である。
【図４】本発明に係る画像形成装置の動作を制御する制御手段１０による制御の流れを示すブロック図である。
【図５】本発明に係るトナー層形成条件を実測の放置時間とした画像形成装置の実施形態におけるトナー層形成モードの動作手順を説明するためのフローチャートである。
【図６】本発明に係るトナー層形成条件を湿度要因により補正された放置時間とした画像形成装置の実施形態におけるトナー層形成モードの動作手順を説明するためのフローチャートである。
【図７】本発明に係るトナー層形成条件を感光体ドラム１の累計回転数により補正された放置時間とした画像形成装置の実施形態におけるトナー層形成モードの動作手順を説明するためのフローチャートである。
【図８】本発明に係るトナー層形成条件を、操作手段としての操作部からの入力動作、又は電源スィッチのオフ動作を利用する構成とした画像形成装置の実施形態における操作部１００の概略外観図である。
【図９】本発明に係るトナー層形成条件を操作手段からの入力動作とした画像形成装置の実施形態における動作手順について説明するためのフローチャートである。
【図１０】本発明に係るトナー層形成条件を電源スィッチ１０１のオフ動作とした画像形成装置の実施形態における動作手順について説明するためのフローチャートである。
【図１１】本発明に係るトナー吐出用バイアス印加手段の第１の実施形態における構成を説明するための概略断面図である。
【図１２】本発明に係るトナー吐出用バイアス印加手段の第１の実施形態における動作手順を説明するためのフローチャートである。
【図１３】本発明に係るトナー吐出用バイアス印加手段の第２の実施形態における動作手順を説明するためのフローチャートである。
【図１４】本発明に係るトナー吐出用バイアス印加手段の第３の実施形態における動作手順を説明するためのフローチャートである。
【図１５】記録材Ｐに画像占有率７０％の網点画像を形成した出力画像に像流れが発生した例を示す図である。
【発明を実施するための形態】
【００２６】
図１は、本発明の実施の形態に係る画像形成装置の構成及び動作を説明するための概略断面図である。
【００２７】
図１に示すように、像担持体としての感光体ドラム１の周囲に帯電手段としての帯電器２、露光手段としての露光装置３、現像手段としての現像装置４、転写手段としての転写装置５、及びクリーニング手段としてのクリーニング装置６が配置される。帯電器２は感光体ドラム１に対して非接触でコロナ放電をするスコロトロン帯電器である。転写装置５には図示しない給紙部から被転写体としての記録材Ｐが供給され、画像が転写された記録材Ｐは定着装置８を通過して定着処理される。
【００２８】
感光体ドラム１としては、ＯＰＣ感光体が好ましく用いられ、特に、負帯電性のＯＰＣ感光体が好ましい。露光装置３は、光ビームで感光体ドラム１を走査露光する露光装置が好ましく、レーザ、ＬＥＤアレイ等が好ましく用いられる。露光装置３は画像データに基づいた露光によりドット画像を感光体ドラム１上に形成する。現像装置４にはキャリアを含まずトナーを主成分とする一成分現像剤を用いる現像装置、又はトナーとキャリアを含む二成分現像剤を用いる現像装置が使用される。本実施の形態では、二成分現像剤を用いる現像装置４を使用している。
【００２９】
転写装置５としては、転写ローラ単独、転写ローラと転写ベルトとを組み合わせたもの、又はコロナ放電器からなる転写装置が好ましく用いられるが、本実施の形態では、転写ローラ５１と転写ベルト５２とを組み合わせたものを転写装置５として用いている。
【００３０】
転写ローラ５１は、発泡ウレタン製のローラであり、転写ローラ５１には、印加部として機能する転写用高圧電源５３が接続されており、感光体ドラム１のトナー像を記録材Ｐに転写する際は、トナーと逆極性の転写電圧が転写ローラ５１に印加される。本実施形態ではトナーはマイナス極性であるため、プラス極性の転写電圧が転写ローラ５１に印加され、転写電界が形成される。
【００３１】
転写ベルト５２は、転写ローラ５１と感光体ドラム１との間に挟持されるエンドレスベルトからなり、複数のローラ（参照符号なし）に回転自在に保持され、転写ローラ５１により感光体ドラム１に押圧される。転写ベルト５２は、例えばポリイミド（ＰＩ）、ポリビニリデンフルオライド（ＰＶＤＦ）、エチレン共重合体（ＥＴＦＥ）等の樹脂材料や、ポリウレタンゴム、クロロプレンゴム等のゴム材料に、抵抗調整のために、カーボン等の導電性フィラーが分散されてなるもの、あるいはイオン性の導電材料が含有されてなるものを用いることが出来る。
【００３２】
記録材Ｐは、感光体ドラム１上に形成されるトナー像の位置にタイミングを合わせて給紙部から送られ、感光体ドラム１と転写ベルト５２との間に挟持されて搬送される。転写ローラ５１には転写バイアス発生手段としての転写用高圧電源５３が電気的に接続されており、感光体ドラム１上のトナー像は、転写用高圧電源５３によるバイアス電圧の印加により、転写ベルト５２との間に挟持される記録材Ｐ上に転写される。
【００３３】
定着装置８としては、加熱部材と加圧部材によりトナー像を加熱・加圧して定着する接触加熱型の定着装置が好ましく用いられる。
【００３４】
図示しない制御手段１０は、画像形成装置内に設けられており、画像形成装置の各部の動作を制御するとともに、画像形成装置のモードの切り替えを行う。
【００３５】
本発明に係る画像形成装置のモードとしては、少なくとも通常の画像形成モードと感光体ドラム１上にトナー層を形成するトナー層形成モードとがある。本発明に係るトナー層形成モードは、後述のトナー層形成条件が満たされるときに制御手段１０により切り替えられるモードであり、トナー層形成モードにおいては、後述のトナー吐出手段により感光体ドラム１上にトナーによるトナー層Ｔｂ（図３参照）が形成される。
【００３６】
図１に示すように、感光体ドラム１の矢印で示す回転に従って、帯電器２による帯電及び露光装置３による露光により、感光体ドラム１上に静電潜像が形成される。形成された静電潜像は現像装置４により現像されて感光体ドラム１上に帯電されたトナーのトナー像が形成される。感光体ドラム１上に形成されたトナー像は、上記したように、転写装置５により記録材Ｐに転写される。転写後の感光体ドラム１に残留するトナーはクリーニング手段としてのクリーニング装置６によりクリーニングされる。図示しない給紙部から供給され、トナー像を転写された記録材Ｐは定着装置８により定着処理される。
【００３７】
図２は、本発明に係るクリーニング装置の実施形態における構成を示す概略断面図である。
【００３８】
本実施形態におけるクリーニング装置６は、クリーニング部材としてのクリーニングローラ６１及びクリーニングブレード６２と、クリーニング用電源ユニット６３と、フリッカ６４と、スクレーパ６５と、を有する。
【００３９】
本発明に係るローラ状の回転部材としてのクリーニングローラ６１は、クリーニングローラ６１が保持するトナー又はクリーニング装置６内に収容されるトナーを感光体ドラム１に向けて吐出する機能と、クリーニング手段としての機能とを有する。より具体的には、通常の画像形成モードにおいてはクリーニング手段としての機能を有し、後述するトナー層形成モードにおいてはトナーを感光体ドラム１に向けて吐出するトナー吐出手段、即ち、感光体ドラム１上にトナー層を形成する手段としての機能を有する。クリーニング部材としてのクリーニングローラ６１及びクリーニングブレード６２は、感光体ドラム１に接触又は近接する位置に配設されている。クリーニングローラ６１によるトナーの授受は、通常の画像形成モードにおいて感光体ドラム１から除去されたトナーの一部がクリーニングローラ６１に保持され、そのトナーがトナー層形成モードにおいて感光体ドラム１上に吐き出されることにより行われる。
【００４０】
クリーニングローラ６１としては、金属製の回転軸に導電性化されたナイロン、アクリル、ポリエステル等からなる繊維を植毛させたブラシローラが好ましく用いられるが、軟質のゴムローラや多孔質の軟質ローラにより形成する円筒状のローラでも良い。クリーニングローラ６１は、図２に示すように、感光体ドラム１に接触回転して感光体ドラム１上のトナーを除去する。回転方向は感光体ドラム１と同方向（以下、感光体正回転方向という）、又は逆方向のいずれでもよい。
【００４１】
クリーニングブレード６２はウレタンゴム等のゴムブレードからなり、実施の形態においてはクリーニングローラ６１に対して感光体正回転方向の下流側に配設され、感光体ドラム１に接触するエッジにより感光体ドラム１上のトナーを掻き取る。クリーニングブレード６２はクリーニングブレード接離手段としてのソレノイド６６により感光体ドラム１に接離可能に駆動され、感光体ドラム１に離間する実線の位置と、感光体ドラム１に当接する点線の位置とのいずれかの位置に移動して停止する。フリッカ６４は金属等の導電性円柱状又は円筒状の部材からなり、クリーニングローラ６１に接触回転してクリーニングローラ６１からトナーを除去する。スクレーパ６５は金属製又は樹脂製の板状の部材からなり、フリッカ６４に接触してフリッカ６４に付着したトナーを除去する。
【００４２】
図３は、本発明に係るトナー層形成モードにおけるトナー層Ｔｂの形成から除去までの感光体ドラム１周辺の動作を説明するための概略断面図である。図３（ａ）は、トナー層形成モードへの切り替えにより、回転部材としてのクリーニングローラ６１からトナーが吐出され、感光体ドラム１上にトナー層Ｔｂが形成された状態を示す図である。図３（ｂ）は、感光体ドラム１上に形成されたトナー層Ｔｂが帯電器２に対向する位置に達し、感光体ドラム１が回転を停止した状態を示す図である。トナー層Ｔｂの幅（ドラム回転方向長さ）は、帯電器２のグリッドの幅よりも長く、トナー層Ｔｂの長さ（回転方向に直交する方向の長さ）は、帯電器２の有効放電長よりも長い。このため、図３（ｂ）に示すトナー層Ｔｂが帯電器２に対向する位置に達した状態では、感光体ドラム１の表面において帯電器２に対向する面よりも広い領域が、トナー層Ｔｂにより覆われている。図３（ｃ）は、トナー層形成モードが終了した後、画像形成のための通常の画像形成モードへの切り替えが行われるとき、感光体ドラム１が逆回転してトナー層Ｔｂがクリーニングローラ６１の位置に達した状態を示す図である。
【００４３】
本発明に係る画像形成装置は、感光体ドラム１の回転角を検出する像担持体回転角検出手段としての図示しない回転角検出手段ＲＡと、検出した回転角を記憶する像担持体回転角記憶手段としての図示しないメモリとを有している。回転角検出手段ＲＡは、例えばロータリーエンコーダを用いた感光体ドラム１の回転角を検出する手段であり、感光体ドラム１上におけるトナー層Ｔｂの位置を検出することができる。また、検出した回転角を記憶するメモリは、例えば制御手段１０に内蔵されるメモリであり、感光体ドラム１上におけるトナー層Ｔｂの位置を記憶することができる。
【００４４】
図３（ａ）において、後述するトナー層形成条件が満たされるとき、制御手段１０は、後述のトナー吐出手段を動作させ、感光体ドラム１の感光体正回転方向への回転に伴って感光体ドラム１上にトナー像からなるトナー層Ｔｂを形成する。クリーニングブレード６２は、モードがトナー層形成モードに切り替えられるときには、ソレノイド６６の駆動により感光体ドラム１から離間する位置に移動されている。
【００４５】
本発明に係るトナー吐出手段は、回転部材（クリーニングローラ６１）とトナー吐出用バイアス印加手段からなる。また、本発明に係るトナー吐出用バイアス印加手段の実施形態としては、後述する第１の実施形態としてのクリーニング用電源ユニット６３、第２の実施形態としての帯電器２、及び第３の実施形態としての転写手段としての転写装置５、が挙げられる。
【００４６】
即ち、トナー層Ｔｂは、トナー層形成モードにおいて、感光体ドラム１上にトナー吐出用バイアス印加手段によりトナー吐出用のバイアスが印加されるとき、クリーニングローラ６１からトナーが吐出されて感光体ドラム１上に形成されるトナー像である。
【００４７】
図３（ｂ）において、感光体ドラム１上に形成されたトナー層Ｔｂは、感光体ドラム１の感光体正回転方向への回転により、帯電器２に対向する位置まで移動し、その位置で感光体ドラム１は回転を停止し、トナー層形成モードが完了する。ここでは、感光体ドラム１上にトナー層Ｔｂが形成される領域をトナー層形成領域と称する。
【００４８】
本発明に係るトナー層形成モードによれば、感光体ドラム１上に形成されたトナー層Ｔｂが帯電器２に対向する位置で停止するため、帯電器２から発生する放電生成物が直接感光体ドラム１の表面に付着することはない。
【００４９】
図３（ｃ）において、トナー層形成モードが終了した後、画像形成のための通常の画像形成モードへの切り替えが行われると、感光体ドラム１は、感光体正回転方向と逆方向（以下、感光体逆回転方向という）に回転する。この感光体ドラム１の感光体逆回転方向の回転によりトナー層Ｔｂはクリーニングローラ６１の感光体正回転方向の上流側の位置まで移動して停止する。その後に続く通常の画像形成モードの進行により、感光体ドラム１は感光体正回転方向に回転され、トナー層Ｔｂはクリーニングローラ６１により感光体ドラム１から除去される。また、感光体ドラム１が感光体正回転方向に回転されるとき、クリーニングブレード６２はソレノイド６６の駆動により感光体ドラム１に当接され、クリーニングローラ６１で除去しきれなかったトナー層Ｔｂはクリーニングブレード６２により除去される。
【００５０】
なお、本実施の形態においては、図３（ｃ）に示す、トナー層形成モードが終了した後の通常の画像形成モードへの切り替え時における感光体ドラム１の回転方向を、感光体逆回転方向に回転する構成としたが、感光体正回転方向に回転する構成としても良い。
【００５１】
図４は、本発明に係る画像形成装置の動作を制御する制御手段１０による制御の流れを示すブロック図である。
【００５２】
図４において、制御手段１０は、電源操作手段としての電源スィッチ１０１、モード切替ボタン１０２、湿度計ＨＭ、ドラム回転数カウンタＲＣ、ドラム回転角検出手段ＲＡ、及び放置時間測定手段としての放置時間測定タイマＳＴからの入力情報を受ける。この入力情報を受けた制御手段１０は、画像形成装置の画像形成モードとトナー層形成モードとのモードの切り替えと画像形成装置の各部の動作の制御を行う。本発明に係る制御対象としては、図４に示すように、ドラム駆動モータＭ１、帯電用高圧電源２１、転写用高圧電源５３、クリーニング用電源ユニット６３、及びブレード接離ソレノイド６６が挙げられる。
【００５３】
電源スィッチ１０１等、各部からの入力情報の詳細、及び制御手段１０によるモードの切り替えと画像形成装置各部動作の制御の詳細については、図５〜図１４を用いて説明する。
【００５４】
次に、本発明に係るトナー層Ｔｂを形成するためのトナー層形成条件を、ドラム停止時間、操作部からの入力、及び電源スィッチのオフ、の３つの条件のいずれかとした構成を有する画像形成装置の実施形態について説明する。なお、ドラム停止時間をトナー層形成条件とする構成については、更に、実測のドラム停止時間である構成、ドラム停止時間を湿度要因により補正する構成、及びドラム停止時間をドラム累計回転数要因により補正する構成、の３つに分けて説明する。ここでのドラム停止時間とは、任意の画像形成ジョブの終了時点から、次の画像形成ジョブの開始時点までの感光体ドラム１が停止している時間のことであり、以下、この時間を放置時間と称する。
【００５５】
始めにトナー層形成条件が実測の放置時間であるという構成を有する画像形成装置の実施形態の動作手順について図５のフローチャートを用いて説明する。なお、ここでは、本発明者らが行った実験結果に基づき、上記の放置時間が経過し、帯電器２から発生する放電生成物が感光体ドラム１に付着して出力画像の画像品質に影響が出ない時間、即ち像流れを生じさせない最大の放置時間の限界値となる時間を、限界放置時間と称することとする（以下同様）。
【００５６】
図５は、本発明に係るトナー層形成条件を実測の放置時間とした画像形成装置の実施形態におけるトナー層形成モードの動作手順を説明するためのフローチャートである。
【００５７】
本実施の形態における画像形成装置には図示しないバッテリが内蔵されており、画像形成装置本体の電源をオンオフする電源スィッチ１０１がオフされても放置時間を測定する放置時間測定タイマＳＴが作動して放置時間を測定しうる構成となっている。
【００５８】
始めに、前回の画像形成ジョブが終了した時点から放置時間測定タイマＳＴが動作を開始する（ステップＳ１１）。次に放置時間測定タイマＳＴにより放置時間が測定される（ステップＳ１２）。制御手段１０は、トナー層形成条件が満たされているかどうか、即ち、放置時間が限界放置時間に達したかどうかを判断する（ステップＳ１３）。放置時間が限界放置時間に達したときにはステップＳ１４に進み、放置時間が限界放置時間に達していないときにはステップＳ１２に戻り、ステップＳ１２とステップＳ１３の工程を繰り返す。
【００５９】
放置時間が限界放置時間に達したときにはステップＳ１４に進み、制御手段１０は、画像形成装置のモードをトナー層形成モードに切り替える（ステップＳ１４）。
【００６０】
トナー層形成モードにおいて、制御手段１０は、トナー吐出手段としてのトナー吐出用バイアス印加手段及びクリーニングローラ６１の動作を開始させると同時に、感光体ドラム１を回転させて感光体ドラム１上にトナー層Ｔｂを形成させる（ステップＳ１５）。更に感光体ドラム１を回転させてトナー層Ｔｂの位置を帯電器２に対向する位置に移動させる（ステップＳ１６）。トナー層Ｔｂの位置が帯電器２に対向する位置に達したとき、感光体ドラム１の回転を停止させる（ステップＳ１７）。
【００６１】
本実施形態によれば、感光体ドラム１が回転を停止した後の放置時間が、前述の限界放置時間に達しても、制御手段１０の制御により画像形成装置がトナー層形成モードとなり、感光体ドラム１表面にトナー層Ｔｂが形成されるため、像流れの発生を抑制できる。
【００６２】
次に、本発明に係るトナー層形成条件が湿度要因により補正された放置時間である画像形成装置の実施形態について図６のフローチャートを用いて説明する。
【００６３】
図６は、本発明に係るトナー層形成条件を湿度要因により補正された放置時間とした画像形成装置の実施形態におけるトナー層形成モードの動作手順を説明するためのフローチャートである。
【００６４】
なお、本実施形態におけるトナー層形成モードの動作手順は、図５で説明したトナー層形成条件が放置時間単独である画像形成装置の動作手順と類似しているため類似した手順についての説明は省略し、異なる手順についてのみ説明する。
【００６５】
本実施形態におけるトナー層形成モードの動作手順が図５の手順と異なる点は、ステップＳ２３及びステップＳ２４の工程が追加されている点である。即ち、本実施形態におけるステップＳ２１〜Ｓ２２、及びステップＳ２５〜Ｓ２９は、図５におけるステップＳ１１〜Ｓ１２、及びステップＳ１３〜Ｓ１７と同一である。
【００６６】
本実施形態のステップＳ２３においては、ステップＳ２２で放置時間が計測されるときに併せて画像形成装置内の湿度を湿度計ＨＭにより計測する（ステップＳ２３）。ステップＳ２４においては、計測した湿度に応じて放置時間を補正して算出する（ステップＳ２４）。
【００６７】
放置時間を湿度に応じて補正する手段は、予め行った画像形成装置内の湿度要因を採り入れた実験に基づいて、出力画像に像流れが生じるかどうかを湿度要因により補正した放置時間との対比により作成した対比表によるものである。
【００６８】
ステップＳ２４において湿度に応じて補正した放置時間に基づいて、ステップＳ２５以下の工程が図５のステップＳ１３以下の工程と同様に行われる。
【００６９】
本実施形態によれば、画像形成装置内の湿度が高く像流れが生じ易い場合でも、補正された放置時間に応じた制御手段１０の制御により画像形成装置のモードがトナー層形成モードに切り替えられるため、像流れの発生を抑制することができる。
【００７０】
次いで、本発明に係るトナー層形成条件が感光体ドラム１の累計回転数により変更（補正）された放置時間である画像形成装置の実施形態について図７のフローチャートを用いて説明する。
【００７１】
図７は、本発明に係るトナー層形成条件を感光体ドラム１の交換した初期からの累計回転数により補正された放置時間とした画像形成装置の実施形態におけるトナー層形成モードの動作手順を説明するためのフローチャートである。
【００７２】
なお、本実施形態におけるトナー層形成モードの動作手順は、図５で説明したトナー層形成条件が放置時間単独である画像形成装置の動作手順と類似しているため類似した手順についての説明は省略し、異なる手順についてのみ説明する。
【００７３】
本実施形態におけるトナー層形成モードの動作手順が図５の手順と異なる点は、ステップＳ３３及びステップＳ３４の工程が追加されている点である。即ち、本実施形態におけるステップＳ３１〜Ｓ３２、及びステップＳ３５〜Ｓ３９は、図５におけるステップＳ１１〜Ｓ１２、及びステップＳ１３〜Ｓ１７と同一である。
【００７４】
本実施形態のステップＳ３３においては、ステップＳ３２で放置時間が計測されるときに併せて感光体ドラム１の累計回転数をドラム回転数カウンタＲＣにより計測する（ステップＳ３３）。ステップＳ３４においては、計測したドラム累計回転数に応じて放置時間を補正して算出する（ステップＳ３４）。
【００７５】
放置時間をドラム累計回転数に応じて補正する手段は、予め行った感光体ドラム１の累計回転数を採り入れた実験に基づいて、出力画像に像流れが生じるかどうかをドラム累計回転数により補正した放置時間との対比により作成した対比表によるものである。
【００７６】
ステップＳ３４において湿度に応じて補正した放置時間に基づいて、ステップＳ３５以下の工程が図５のステップＳ１３以下の工程と同様に行われる。
【００７７】
本実施形態によれば、感光体ドラム１の累計回転数が多くなり、像流れが生じ易い状況となっても、補正された放置時間に応じた制御手段１０の制御により画像形成装置のモードがトナー層形成モードに切り替えられるため、像流れの発生を抑制することができる。
【００７８】
表１には、画像形成装置内の湿度（機内湿度）及び感光体ドラム１の累計回転数をトナー層形成条件として限界放置時間を補正した画像形成装置を用いての実験結果を示す。本発明者らは、表１に示す補正を行うことにより、画像形成装置内の湿度及び感光体ドラム１の累計回転数が変化しても、出力画像に像流れが発生しないことを実験により把握している。
【００７９】
【表１】
2012194299.tif 000003
【００８０】
表１において、感光体ドラム１の累計回転数が３０万回転未満の場合、機内湿度が２０％未満であればトナー層形成モードにおける限界放置時間を６０％に設定することにより、出力画像に像流れが発生しないことを確認している。同様に、感光体ドラム１の累計回転数が３０万回転未満の場合、機内湿度が２０％以上、５０％未満であれば限界放置時間を３０ｍｉｎ、機内湿度が５０％以上、７０％未満であれば限界放置時間を１５ｍｉｎに設定すれば良い。更に、機内湿度が７０％以上であれば限界放置時間を５ｍｉｎに設定すれば、像流れが発生しない。
【００８１】
同様に、感光体ドラム１の累計回転数が３０万回転以上５０万回転未満、５０万回転以上１００万回転未満、１００万回転以上と増加するのに対応して、機内湿度の変化に対応させて限界放置時間を短くすることにより、像流れの発生を抑制できることを確認した。
【００８２】
次に、本発明に係るトナー層を形成するための条件となるトナー層形成条件として、操作部からの入力動作、及び電源スィッチのオフ動作を利用した構成の画像形成装置の実施形態における動作手順について、図９のフローチャートを用いて説明する。
【００８３】
図８は、本発明に係るトナー層形成条件を、トナー層形成モードへの切り替えを行う操作手段としての操作部からの入力動作、又は電源スィッチのオフ動作を利用する構成とした画像形成装置の実施形態における操作部１００の概略外観図である。
【００８４】
図８において、符号の１００は操作部、１０１は電源操作手段としての電源スィッチ、１０２は操作手段としてのモード切替ボタン、１０３は電源オン表示ランプ、１０４は表示部、を表す。電源スィッチ１０１をオンにする操作で電源オン表示ランプ１０３が点灯し、トナー層形成モードへの切替スィッチのオンにより表示部１０４にトナー層形成モードへの切り替えが行われていることが表示される。
【００８５】
続いて、トナー層形成条件が操作手段からの入力動作である構成の画像形成装置の動作手順について説明する。
【００８６】
図９は、本発明に係るトナー層形成条件を操作部からの入力動作とした画像形成装置の実施形態における動作手順について説明するためのフローチャートである。本実施の形態において、トナー層形成条件が満たされたかどうかは、操作部のモード切替ボタン１０２によりトナー層形成モードへの切り替えが実行されたかどうかにより判断される。
【００８７】
始めに、オペレータにより操作部のトナー層形成モードへの切り替えが可能なモード切替ボタン１０２（図８参照）がオンされ、画像形成装置のモードはトナー層形成モードとなる（ステップＳ４１）。次に、制御手段１０の制御によりトナー吐出手段が動作され、感光体ドラム１上にトナー層Ｔｂが形成される（ステップＳ４２、図３参照）。更に感光体ドラム１を回転させてトナー層Ｔｂの位置を帯電器２に対向する位置に移動させる（ステップＳ４３）。トナー層Ｔｂの位置が帯電器２に対向する位置に達したとき、感光体ドラム１の回転を停止させる（ステップＳ４４）。
【００８８】
本実施形態によれば、操作部のモード切替ボタン１０２の操作により画像形成装置のモードがトナー層形成モードに切り替えられるため、オペレータの任意の要望により像流れの発生を抑制することができる。
【００８９】
続いて、トナー層形成条件が電源スィッチ１０１のオフ動作である構成の画像形成装置の動作手順について説明する。
【００９０】
図１０は、本発明に係るトナー層形成条件を電源スィッチ１０１のオフ動作とした画像形成装置の実施形態における動作手順について説明するためのフローチャートである。本実施の形態において、トナー層形成条件が満たされたかどうかは、操作部の電源スィッチ１０１がオフされたかどうかにより判断される。
【００９１】
始めに、オペレータにより画像形成装置の電源スィッチ１０１（図８参照）がオフされる（ステップＳ５１）とき、画像形成装置のモードはトナー層形成モードに切り替えられる（ステップＳ５２）。次に、制御手段１０の制御によりトナー吐出手段が動作され、感光体ドラム１上にトナー層Ｔｂが形成される（ステップＳ５３、図３参照）。更に感光体ドラム１を回転させてトナー層Ｔｂの位置を帯電器２に対向する位置に移動させる（ステップＳ５４）。トナー層Ｔｂの位置が帯電器２に対向する位置に達したとき、感光体ドラム１の回転を停止させる（ステップＳ５５）。
【００９２】
本実施形態によれば、電源スィッチ１０１のオフ動作により画像形成装置のモードがトナー層形成モードに切り替えられるため、画像形成装置が長時間使用されない状態が続き、放置時間が限界放置時間に達する場合でも、像流れの発生を抑制することができる。
【００９３】
次に、本発明に係るトナー吐出手段の内のトナー吐出用バイアス印加手段における第１〜第３の実施形態の構成又は動作手順について説明する。
【００９４】
図１１は、本発明に係るトナー吐出用バイアス印加手段の第１の実施形態における構成を説明するための概略断面図である。図１１に示すトナー吐出用バイアス印加手段における第１の実施形態の構成は、図２で説明したクリーニング装置６の構成と類似しており、同一の機能を有する部材には同一の符番を付しているため説明は省略し、異なる構成についてのみ説明する。
【００９５】
本実施形態のクリーニング装置６の構成が、図２で説明したクリーニング装置６の構成と異なる点は、本実施形態のクリーニング装置６には、トナー吐出用バイアス印加手段の第１の実施形態としてのクリーニング用電源ユニット６３が備えられている点である。
【００９６】
即ち、本実施形態におけるクリーニングローラ６１には、フリッカ６４を介してクリーニング用電源ユニット６３により極性の異なる２種の電圧が印加される。クリーニング用電源ユニット６３は、トナーの帯電と反対極性の電圧を印加するクリーニング用電源６３Ａと、トナーの帯電と同極性の電圧を印加するトナー授受バイアス電源としてのトナー層形成用電源６３Ｂからなる。クリーニング用電源６３Ａとトナー層形成用電源６３Ｂとは、いずれかに切り替えられて使用される。
【００９７】
クリーニング装置６でクリーニングされるトナーは現像装置４において帯電されるが、負帯電感光体を用い、反転現像を行う現像装置４により現像を行う本実施形態の画像形成装置においては、クリーニングされるトナーは負に帯電されている。従って、クリーニングローラ６１がクリーニング手段として機能する際には、クリーニング用電源６３Ａはフリッカ６４に正の電圧を印加して、感光体ドラム１からトナーを除去する。
【００９８】
また、クリーニングローラ６１がトナー吐出手段として機能する際には、トナー層形成用電源６３Ｂによりフリッカ６４に負の電圧が印加され、感光体ドラム１のトナー層形成領域とクリーニングローラ６１との間に電位差が生じる。この電位差によりクリーニング装置６内のトナーは、クリーニングローラ６１を介して感光体ドラム１表面へと移動し、感光体ドラム１表面にトナー層Ｔｂが形成される（図３参照）。このように、本発明に係るクリーニングローラ６１は、クリーニング手段としての機能とトナー吐出手段としての機能とを兼ね備えている。
【００９９】
続いて、トナー吐出用バイアス印加手段における第１の実施形態としてのクリーニング用電源ユニット６３によるトナー層形成の動作手順について図１２を用いて説明する。
【０１００】
図１２は、本発明に係るトナー吐出用バイアス印加手段の第１の実施形態における動作手順を説明するためのフローチャートである。本実施形態におけるトナー吐出用バイアス印加手段は本発明に係るトナー授受バイアス電源としてのクリーニング用電源ユニット６３である。
【０１０１】
本実施形態の動作手順は、前述のトナー層形成条件が、放置時間の限界放置時間への到達、操作部からの入力動作、又は、電源スィッチのオフ動作により満たされたとき以降における、トナー層形成モードへの切り替えが実施される工程から記載するものとする。
【０１０２】
図１２において、始めに、本発明におけるトナー層形成条件が満たされ、本実施形態の制御手段１０の制御により画像形成装置のモードがトナー層形成モードへと切り替えられる（ステップＳ６１）。次に、本実施形態のクリーニング用電源ユニット６３におけるトナー層形成用電源６３Ｂの動作により、フリッカ６４を介してクリーニングローラ６１と、感光体ドラム１のトナー層Ｔｂを形成するトナー層形成領域との間に電位差が形成される（ステップＳ６２）。この電位差により、回転する感光体ドラム１上にトナーが吐き出されてトナー層Ｔｂが形成される（ステップＳ６３）。更に感光体ドラム１が回転され、トナー層Ｔｂの位置は帯電器２に対向する位置に移動される（ステップＳ６４）。トナー層Ｔｂの位置が帯電器２に対向する位置に達したとき、感光体ドラム１は回転を停止される（ステップＳ６５）。
【０１０３】
表２には、放置時間が表１で説明した限界放置時間に達するとき、トナー吐出用バイアス印加手段の第１の実施形態としてのクリーニング用電源ユニット６３による、トナー層形成モードにおける印加バイアスを変化させた場合の実験結果を示す。
【０１０４】
【表２】
2012194299.tif 000004
【０１０５】
本発明者らは、表２に示すように、トナー層形成モードにおいて、クリーニング用電源ユニット６３の印加バイアスを５００Ｖ以上に設定することにより、出力画像に像流れが発生しないことを実験により把握した。このとき、トナー層形成領域における感光体ドラム１上のトナー付着量は３．６ｇ／ｍ２であった。クリーニング用電源ユニット６３の印加バイアスを１００Ｖに設定した場合には、トナー層形成領域におけるトナー付着量は１．２ｇ／ｍ２となり、出力画像には像流れが発生した。クリーニング用電源ユニット６３の印加バイアスを３００Ｖに設定した場合には、トナー層形成領域におけるトナー付着量は３ｇ／ｍ２となり、出力画像には当社規格で良品限界レベルの若干の像流れが発生した。像流れ評価の記号の、◎は像流れの発生が全く見られないレベル、○は当社規格で合格レベル、△は良品限界レベル、×は像流れの発生が明らかな不合格レベルを表す。
【０１０６】
本実施形態によれば、クリーニングローラ６１の機能が、クリーニング用電源ユニット６３の極性の切り替えにより、トナー吐出手段としての機能と前記クリーニング手段としての機能とに明確に分けられるため、それぞれの作用がより確実なものとなる。
【０１０７】
次に、本発明に係るトナー吐出手段の内のトナー吐出用バイアス印加手段における第２の実施形態について説明する。本実施形態におけるトナー吐出用バイアス印加手段は帯電器２である。本実施形態における帯電器２の構成は図２における帯電器２と同一であるため、構成についての説明は省略し、動作手順についてのみ図１３を用いて説明する。
【０１０８】
図１３は、本発明に係るトナー吐出用バイアス印加手段の第２の実施形態における動作手順を説明するためのフローチャートである。
【０１０９】
第２の実施形態におけるフローチャートは第１の実施形態におけるフローチャートと類似しているため説明は省略し、異なる工程についてのみ説明する。
【０１１０】
第２の実施形態におけるフローチャートが第１の実施形態におけるフローチャートと異なる点は、ステップＳ７２におけるクリーニングローラ６１と感光体ドラム１上のトナー層形成領域との電位差を形成する手段の違いである。即ち、トナー層形成領域とのバイアスの印加（電位差の形成）が、第１の実施形態ではクリーニングローラ６１に接続されたトナー層形成用電源６３Ｂによって行われるのに対し、本実施形態においては、帯電器２に電圧を付与する帯電用高圧電源２１によって行われる（ステップＳ７２）という違いである。即ち、本実施形態におけるトナー授受バイアス電源としては帯電用高圧電源２１が用いられている。
【０１１１】
本実施形態における帯電器２は、通常の画像形成モードにおいては感光体ドラム１の画像領域に均一な帯電を行うが、同様に、トナー層形成モードにおいて、クリーニングローラ６１とトナー層形成領域との間に電位差を形成する。クリーニング装置６中には逆極性に帯電されたトナーも混在している。このため、感光体ドラム１の回転によりトナー層形成領域がクリーニング装置６に達するとき、クリーニング装置６中の逆極性のトナーが吐き出されて感光体ドラム１上のトナー層形成領域にトナー層Ｔｂを形成する。このように、本発明に係る帯電器２は、通常の画像領域を帯電する機能と、クリーニングローラ６１とトナー層形成領域との間に電位差を形成する機能とを兼ね備えている。
【０１１２】
本実施形態によれば、トナー吐出用バイアス印加手段としての部材を新規に構成する必要がないため、構成が簡単であり、スペースの削減とコストの低減を図ることができる。
【０１１３】
図１４は、本発明に係るトナー吐出用バイアス印加手段の第３の実施形態における動作手順を説明するためのフローチャートである。
【０１１４】
第３の実施形態におけるフローチャートは第１の実施形態におけるフローチャートと類似しているため説明は省略し、異なる工程についてのみ説明する。
【０１１５】
第３の実施形態におけるフローチャートが第１の実施形態におけるフローチャートと異なる点は、ステップＳ８２におけるクリーニングローラ６１と感光体ドラム１上のトナー層形成領域との間に電位差を形成する手段の違いである。即ち、この電位差の形成は、第１の実施形態ではクリーニングローラ６１に接続されたトナー層形成用電源６３Ｂによって行われるのに対し、本実施形態においては、転写装置５の転写用高圧電源５３によって行われる（ステップＳ８２）という違いである。即ち、本実施形態におけるトナー授受バイアス電源としては転写用高圧電源５３が用いられている。
【０１１６】
本実施形態においては、転写用高圧電源５３により転写ローラ５１を介して感光体ドラム１のトナー層形成領域がトナーの正規の帯電極性と逆極性に帯電され、その結果、クリーニングローラ６１とトナー層形成領域との間に電位差が形成される。従って、感光体ドラム１の回転によりトナー層形成領域がクリーニング装置６に達するとき、クリーニング装置６中のトナーはクリーニングローラ６１から吐き出されて感光体ドラム１上にトナー層Ｔｂを形成する。このように、本発明に係る転写装置５は、通常の画像領域に対する転写機能と、クリーニングローラ６１とトナー層形成領域との間に電位差を生じさせてトナー層Ｔｂを形成する機能とを兼ね備えている。
【０１１７】
本実施形態によれば、トナー吐出用バイアス印加手段としての部材を新規に構成する必要がないため、構成が簡単であり、スペースの削減とコストの低減を図ることができる。
【符号の説明】
【０１１８】
１  感光体ドラム
２  帯電器
３  露光装置
４  現像装置
５  転写装置
６  クリーニング装置
８  定着装置
Ｐ  記録材
１０  制御手段
２１  帯電用高圧電源
５１  転写ローラ
５２  転写ベルト
５３  転写用高圧電源
６１  クリーニングローラ
６２  クリーニングブレード
６３  クリーニング用電源ユニット
６３Ａ  クリーニング用電源
６３Ｂ  トナー層形成用電源
６４  フリッカ
６５  スクレーパ
６６  ソレノイド
ＨＭ  湿度計
Ｍ１  ドラム駆動モータ
ＲＡ  ドラム回転角検出手段
ＲＣ  ドラム回転数カウンタ
ＳＴ  放置時間測定タイマ
Ｔｂ  トナー層
１００  操作部
１０１  電源スィッチ
１０２  モード切替ボタン
１０３  電源オン表示ランプ
１０４  表示部
【図１】
2012194299.tif 000005
【図２】
2012194299.tif 000006
【図３】
2012194299.tif 000007
【図４】
2012194299.tif 000008
【図５】
2012194299.tif 000009
【図６】
2012194299.tif 000010
【図７】
2012194299.tif 000011
【図８】
2012194299.tif 000012
【図９】
2012194299.tif 000013
【図１０】
2012194299.tif 000014
【図１１】
2012194299.tif 000015
【図１２】
2012194299.tif 000016
【図１３】
2012194299.tif 000017
【図１４】
2012194299.tif 000018
【図１５】
2012194299.tif 000019